(57)【特許請求の範囲】
【請求項１】
高層建築物の部屋の天井に防火用スプリンクラーが設けられ、該スプリンクラーに接続する配管の管壁に着脱自在閉鎖蓋で閉鎖された開口部を有し、該開口部の上流側に、逆錐雌テーパ面による透孔を中央部に形成した弁座を有し、該雌テーパ面に嵌合する雄テーパ面を有する逆止弁を備え、上記閉鎖蓋の内面、配管又は逆止弁の弁本体（弁座）側に遊動腕を枢支し、該腕に上記逆止弁を設け、配管内流動によって上記逆止弁が回動し、上記遊動腕又は逆止弁に設けた永久磁石が上記閉鎖蓋に近接又は接して上記閉鎖蓋の外面に設けたリードスイッチを閉じるよう形成し、上記逆止弁の下流側配管に加熱溶融金属で止水された上記防火用スプリンクラーが設けられ、上記逆支弁の上流側に圧力水タンクを介して送水ポンプを接続し、該ポンプの駆動電動機の駆動装置と電源との間に上記リードスイッチを介設した流水検知装置。
【請求項２】
上記遊動腕の先端に逆止弁を遊支した請求項１記載の流水検知装置。
【請求項３】
上記遊動腕の先端に上記逆止弁の中央部に穿設した小径逆錐形透孔に嵌合した小逆止弁を遊支した請求項１記載の流水検知装置。
【発明の詳細な説明】
【０００１】
【発明の属する技術分野】
本発明は高層建築物の部屋の天井に設けた防火用スプリンクラーの放水動作によって配管内圧力水の流動を感知し、圧力水の低下を補充する流水検知制御装置に関するものである。
【０００２】
【従来の技術】
従来、流体配管内の一定位置に一側面を開口したフロースイッチ室が介設され、該開口部は単板で閉鎖し、該室の他側面に遊支した腕の先端にパドルを設け、パドルの背面に永久磁石を設け、流体の速度、流量等の変化に応じてパドルが遊動し、上記フロースイッチ室の他側外面に設けたリードスイッチ（Ｌｅａｄ  Ｓｗｉｔｃｈ）に上記永久磁石が近接して該スイッチを閉じ、該スイッチによって動作するブロワー又はポンプ等によって流速・流量又は流体圧を調整する装置が開発されている。
【０００３】
しかし、共同住宅、高層建築物等におけるスプリンクラーの配管では、スプリンクラーに常時圧力水を与える必要があるため、途中に逆止弁を介在させ、スプリンクラーの加熱溶融金属の溶蝕によるスプリンクラー放水が始まるとスプリンクラーと逆止弁との間の圧力水の圧力が低下し、逆止弁の下流側の圧力水が逆止弁を開いて下流側に流動する。
【０００４】
そのため従来の流速・流量・流体圧検出のためのパドルによるフロースイッチのみではスプリンクラーから配管全体の流体圧を保持する必要があって、レシーバーからスプリンクラーまで常時圧力を保持しなければならない。
【０００５】
従って必ずしも最上端のスプリンクラーまで圧力水が一定圧に保持されているものとは限らずスプリンクラーの安全性は保障し難い。
【０００６】
又フロースイッチ室を配管に装着するために、フロースイッチ室と一体の出入管と共に配管に介設する必要があった。
【０００７】
【発明が解決しようとする課題】
本発明は配管の側壁を開口し、該開口から逆止弁及び流水検知機構部分を閉鎖蓋と共に容易に装着し、該蓋にリードスイッチを設けることによって簡便に流水検知装置を形成し、かつスプリンクラーと逆止弁との間の圧力水によってスプリンクラーからの放水時間を保持し、その間に配管の基に設けたレシーバー（圧力水缶）及びポンプによる圧力水を迅速に供給することを目的とする。
【０００８】
【課題を解決するための手段】
上記の目的を達成するため本発明は
高層建築物の部屋の天井に防火用スプリンクラーが設けられ、該スプリンクラーに接続する配管の管壁に着脱自在閉鎖蓋で閉鎖された開口部を有し、該開口部の上流側に、逆錐雌テーパ面による透孔を中央部に形成した弁座を有し、該雌テーパ面に嵌合する雄テーパ面を有する逆止弁を備え、上記閉鎖蓋の内面、配管又は逆止弁の弁本体（弁座）側に遊動腕を枢支し、該腕に上記逆止弁を設け、配管内流動によって上記逆止弁が回動し、上記遊動腕又は逆止弁に設けた永久磁石が上記閉鎖蓋に近接又は接して上記閉鎖蓋の外面に設けたリードスイッチを閉じるよう形成し、上記逆止弁の下流側配管に加熱溶融金属で止水された上記防火用スプリンクラーが設けられ、上記逆支弁の上流側に圧力水タンクを介して送水ポンプを接続し、該ポンプの駆動電動機の駆動装置と電源との間に上記リードスイッチを介設した流水検知装置
上記遊動腕の先端に逆止弁を遊支した上記第１発明記載の流水検知装置
上記遊動腕の先端に上記逆止弁の中央部に穿設した小径逆錐形透孔に嵌合した小逆止弁を遊支した上記第１発明記載の流水検知装置
によって構成される。
【０００９】
【発明の実施の形態】
図５に示すように防火用スプリンクラー８に接続する配管１の側壁又は管壁１’に開口部２を穿設し、該開口部２は非磁性材料例えば青銅（ＢＣ６）によって形成された閉鎖蓋３で閉鎖し、ボルト９で締付けて着脱自在に支持される。
【００１０】
開口部２から上流側に弁本体（弁座）４”を溶着又は接着又はボルト９’（図４）で固定し、弁本体４”の中央部には逆錐雌テーパ面４ａによる透孔を形成し、該雌テーパ面４ａに雄テーパ面４ｂを有する逆止弁４を嵌合する。
【００１１】
上記閉鎖蓋３の内面３’下部には軸受１０を突設し、該軸受１０に遊動腕５を枢支する。遊動方向は配管１の中心線ｃと直交する軸１１の回りに正逆遊動する。軸受１０は図１〜図３に示す開口部２の下縁上面２’や図４に示す逆止弁４の弁本体４”の上面に設けることができる。
【００１２】
上記遊動腕５には永久磁石６を設け、配管１内の水の流動（上流側から下流側へ）によって該遊動腕５が下流側に回動し、上記永久磁石６が閉鎖蓋３の内面３’に近接又は接触して該閉鎖蓋３の外面３”に設けたリードスイッチ７の接点７’（図１（ロ）図）を発条１２に抗して閉じる。上記水の流動は、スプリンクラー８の開放散水による逆止弁４の上下流配管１，１内の水圧のバランスの変化によって逆止弁４が開くことによって図５に示す圧力水タンク１４（以下レシーバという）内の圧力水１５が自動的に供給されることによって起る。
【００１３】
この状態では遊動腕５の先端に枢軸１３（上記軸１１と平行）によって遊支した逆止弁４は図１（イ）図実線位置から仮想線位置に軸１１を中心として回動する。又図４では遊動腕５に固定して設けた逆止弁４は遊動腕５と共に実線位置から仮想線の位置に回動する。
【００１４】
そして図１（ロ）図に示すリードスイッチ７の接点７’が閉じて図５に示す駆動装置１７、駆動電動機（以下モータという）Ｍを回動し、ポンプＰを回動し、かつ電磁弁２４，２４’をリレー（図示していない）で開いて圧力水回路２５から配管１を経て圧力水をスプリンクラー８に継続供給することができる。
【００１５】
即ちレシーバ１４内の圧力水１５はレシーバ１４内の上部圧縮空気１６によって水圧が得られ、逆止弁４まで圧力水が常時充満し、スプリンクラー８の開放散水によって逆止弁４の下流側の既充填水圧の減圧により逆止弁４を図１〜図４実線位置から仮想線位置に開口し、上流側の圧力水が下流側に流動し、引続きスプリンクラー８から散水される。レシーバ１４内の圧力水１５はリードスイッチ７のＯＮによるモータＭ及びポンプＰの動作によって補給される。
【００１６】
又図２（イ）（ロ）図に示すように逆止弁４の中央部に穿設した小径逆錐形透孔４ｃに小逆止弁４’を嵌合し、上記軸１１に枢支した遊動腕５の先端を小逆止弁４’の中央部に遊支し、該遊動腕５に永久磁石６を設け、かつ逆止弁４の上面両側に遊支した２個の腕５”、５”の基端を上記軸１１に枢支し、該逆止弁４及び上記小逆止弁４’を図２（イ）図実線及び破線位置から圧力水流によって仮想線位置に回動させ永久磁石６を閉鎖蓋３の内面３’に近接又は接触させて閉鎖蓋３の外面３”に設けたリードスイッチ７を閉じる（ＯＮ）することができる。
【００１７】
図３では開口部２の上流側に逆止弁４を設け、その下面に設けた連杆４ｄの他端に止板４ｅを設け、加圧水の上記流動によって逆止弁４は実線位置から仮想線位置に移動して逆止弁４を開き、遊動腕５及びその先端に設けたパドル５’を実線位置から仮想線位置に上記軸１１を中心に回動し、遊動腕５に設けた永久磁石６を閉鎖蓋３の内面３’に近接又は接触させ、該蓋３の外面３”に設けたリードスイッチ７を閉じることができる。
【００１８】
図４では配管１に上記非磁性材料による大径配管２６を介在させボルト９’で配管１に接続させ、大径配管２６の上流端部に配管１と同一内径の弁本体（弁座）４”を形成し、該弁本体４”に逆止弁４を開閉自在に接し、大径配管２６に開口部２を形成し、閉鎖蓋３で閉鎖し、外側にリードスイッチ７を設けることができる。
【００１９】
尚図中１９で示すものは逆止弁４又は小逆止弁４’に設けた遊動腕５用軸受、図４中２０は貯水槽、２１は貯水面、２２は水路用逆止弁、２３はリードスイッチ７の回路配線である。
【００２０】
【発明の効果】
本発明は上述のように構成したので配管の管壁内に設けた逆錐雌雄テーパ面による弁座及び逆支弁の下流側の圧力水の減圧があって上流側との圧力のバランスの変動を生じても上流側の圧力水が下流側減圧を迅速にバックアップし得る効果がある。
【００２１】
又閉鎖蓋を開口部から取外して開口部から逆止弁本体を内部に容易に装着し、図３では逆止弁、止板を装入し、かつ遊動腕、逆止弁、小逆止弁又はパドル等を容易に装着し、その上で当該閉鎖蓋で開口部を閉鎖するだけで配管内装置を簡便に組立て得る効果がある。
【図面の簡単な説明】
【図１】（イ）図は本発明の流水検知装置を示す縦断面図である。
（ロ）図はリードスイッチの説明図である。
【図２】（イ）図は小逆止弁を用いた上記装置の縦断面図である。
（ロ）図は（イ）図Ａ−Ａ線による平面図である。
【図３】パドルを利用した状態の縦断面図である。
【図４】大径配管を用いた状態の縦断面図である。
【図５】スプリンクラー、ポンプ、モータ及び水槽を含むブロック図である。
【符号の説明】
１      配管
１’    管壁
２      開口部
３      着脱自在閉鎖蓋
３’    内面
３”    外面
４      逆止弁
４’    小逆止弁
５      遊動腕
５’    パドル
６      永久磁石
７      リードスイッチ
８      防火用スプリンクラー
１４      圧力水タンク
Ｐ      送水ポンプ
Ｍ      駆動電動機
１７      駆動装置
１８      電源
【図１】
0004041651.tif 000002
【図２】
0004041651.tif 000003
【図３】
0004041651.tif 000004
【図４】
0004041651.tif 000005
【図５】
0004041651.tif 000006